【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
基地局に関する複数のパラメータを備えるシステム情報ブロック（ＳＩＢ）を生成することと、
無認可無線周波数スペクトル帯域上の制御チャネルを介して前記ＳＩＢを送信することと、
前記ＳＩＢを含む前記制御チャネルの一部分を示す基準信号を送信することとを備える方法。
【請求項２】
前記制御チャネルが、複数のリソースブロックを備え、前記基準信号が、前記ＳＩＢを含む前記複数のリソースブロックのサブセットを示す、請求項１に記載の方法。
【請求項３】
前記基準信号が、物理セル識別子（ＰＣＩ）を備え、前記複数のリソースブロックの前記サブセットが、前記ＰＣＩにマッピングされる、請求項２に記載の方法。
【請求項４】
前記複数のリソースブロックの前記サブセットが、前記基準信号のタイミングに基づいてあらかじめ決定される、請求項２に記載の方法。
【請求項５】
ワイヤレス通信の方法であって、
無認可無線周波数スペクトル帯域を介して基準信号を受信することと、前記基準信号は、システム情報ブロック（ＳＩＢ）を含む制御チャネルの一部分を示し、前記ＳＩＢは、基地局に関する複数のパラメータを備える、
前記制御チャネルを受信することと、
前記ＳＩＢを含む前記制御チャネルの前記示された部分に基づいて前記ＳＩＢを復号することとを備える方法。
【請求項６】
前記制御チャネルが、複数のリソースブロックを備え、前記基準信号が、前記ＳＩＢを含む前記複数のリソースブロックのサブセットを示す、請求項５に記載の方法。
【請求項７】
前記基準信号が、物理セル識別子（ＰＣＩ）を備え、前記複数のリソースブロックの前記サブセットが、前記ＰＣＩにマッピングされる、請求項６に記載の方法。
【請求項８】
前記基準信号が、リソースブロックの前記サブセットのロケーションを示す情報を備える、請求項６に記載の方法。
【請求項９】
ワイヤレス通信のための装置であって、
基地局に関する複数のパラメータを備えるシステム情報ブロック（ＳＩＢ）を生成するための手段と、
無認可無線周波数スペクトル帯域上の制御チャネルを介して前記ＳＩＢを送信するための手段と、
前記ＳＩＢを含む前記制御チャネルの一部分を示す基準信号をトランスミットするための手段とを備える装置。
【請求項１０】
前記制御チャネルが、複数のリソースブロックを備え、前記基準信号が、前記ＳＩＢを含む前記複数のリソースブロックのサブセットを示す、請求項９に記載の装置。
【請求項１１】
前記基準信号が、物理セル識別子（ＰＣＩ）を備え、前記複数のリソースブロックの前記サブセットが、前記ＰＣＩにマッピングされる、請求項１０に記載の装置。
【請求項１２】
ワイヤレス通信のための装置であって、
無認可無線周波数スペクトル帯域を介して基準信号を受信するための手段と、前記基準信号は、システム情報ブロック（ＳＩＢ）を含む制御チャネルの一部分を示し、前記ＳＩＢは、基地局に関する複数のパラメータを備える、
前記制御チャネルを受信するための手段と、
前記ＳＩＢを含む前記制御チャネルの前記示された部分に基づいて前記ＳＩＢを復号するための手段とを備える装置。
【請求項１３】
前記制御チャネルが、複数のリソースブロックを備え、前記基準信号が、前記ＳＩＢを含む前記複数のリソースブロックのサブセットを示す、請求項１２に記載の装置。
【請求項１４】
前記基準信号が、物理セル識別子（ＰＣＩ）を備え、前記複数のリソースブロックの前記サブセットが、前記ＰＣＩにマッピングされる、請求項１３に記載の装置。
【請求項１５】
コンピュータ上で実行されると、請求項１〜４または５〜８のうちの一項に記載の方法を実行するための命令を備える、コンピュータプログラム。
【手続補正２】
【補正対象書類名】明細書
【補正対象項目名】０１３７
【補正方法】変更
【補正の内容】
【０１３７】
[0154]  本開示についての以上の説明は、当業者が本開示を作成または使用できるように与えたものである。本開示への様々な修正は当業者に容易に明らかになり、本明細書で定義される一般原理は、本開示の趣旨または範囲から逸脱することなく、他の変形形態に適用され得る。本開示全体にわたって、「例」または「例示的」という用語は、一例または一事例を示すものであり、言及された例についてのいかなる選好も暗示または要求するものではない。従って、本開示は、本明細書で説明される例および設計に限定されるべきではなく、本明細書で開示される原理および新規の特徴と一致する最も広い範囲を与えられるべきである。
以下に本願の出願当初の特許請求の範囲に記載された発明を付記する。
[Ｃ１]  ワイヤレス通信の方法であって、
基地局に関する複数のパラメータを備えるシステム情報ブロック（ＳＩＢ）を生成することと、
無認可無線周波数スペクトル帯域上の制御チャネルを介して前記ＳＩＢを送信することと、
前記ＳＩＢを含む前記制御チャネルの一部分を示す基準信号を送信することとを備える方法。
[Ｃ２]  前記制御チャネルが、複数のリソースブロックを備え、前記基準信号が、前記ＳＩＢを含む前記複数のリソースブロックのサブセットを示す、Ｃ１に記載の方法。
[Ｃ３]  前記基準信号が、物理セル識別子（ＰＣＩ）を備え、前記複数のリソースブロックの前記サブセットが、前記ＰＣＩにマッピングされる、Ｃ２に記載の方法。
[Ｃ４]  前記複数のリソースブロックの前記サブセットが、前記基準信号のタイミングに基づいてあらかじめ決定される、Ｃ２に記載の方法。
[Ｃ５]  前記基準信号が、リソースブロックの前記サブセットのロケーションを示す情報を備える、Ｃ２に記載の方法。
[Ｃ６]  前記ＳＩＢが、前記基地局に関連付けられたクリアチャネルアセスメント（ＣＣＡ）免除送信（ＣＥＴ）サブフレームの間に前記無認可無線周波数スペクトル帯域を介して送信される、Ｃ１に記載の方法。
[Ｃ７]  日和見的システム情報ブロック送信に関連付けられた非ＣＣＡ免除送信（非ＣＥＴ）サブフレームの前にクリアチャネルアセスメント（ＣＣＡ）を行うことと、
前記ＣＣＡが成功すると、前記非ＣＥＴサブフレーム上で前記ＳＩＢを送信することとをさらに備える、Ｃ１に記載の方法。
[Ｃ８]  前記複数のパラメータが、システムフレーム番号（ＳＦＮ）を備える、Ｃ１に記載の方法。
[Ｃ９]  前記基準信号が、無線フレームの長さを超える周期で送信される、Ｃ８に記載の方法。
[Ｃ１０]  前記周期が、前記ＳＦＮを増分するための時間期間に対応する、Ｃ９に記載の方法。
[Ｃ１１]  ワイヤレス通信の方法であって、
無認可無線周波数スペクトル帯域を介して基準信号を受信することと、前記基準信号は、システム情報ブロック（ＳＩＢ）を含む制御チャネルの一部分を示し、前記ＳＩＢは、基地局に関する複数のパラメータを備える、
前記制御チャネルを受信することと、
前記ＳＩＢを含む前記制御チャネルの前記示された部分に基づいて前記ＳＩＢを復号することとを備える方法。
[Ｃ１２]  前記制御チャネルが、複数のリソースブロックを備え、前記基準信号が、前記ＳＩＢを含む前記複数のリソースブロックのサブセットを示す、Ｃ１１に記載の方法。
[Ｃ１３]  前記基準信号が、物理セル識別子（ＰＣＩ）を備え、前記複数のリソースブロックの前記サブセットが、前記ＰＣＩにマッピングされる、Ｃ１２に記載の方法。
[Ｃ１４]  前記基準信号が、リソースブロックの前記サブセットのロケーションを示す情報を備える、Ｃ１２に記載の方法。
[Ｃ１５]  前記複数のパラメータが、システムフレーム番号（ＳＦＮ）を備える、Ｃ１１に記載の方法。
[Ｃ１６]  前記基準信号が、無線フレームの長さを超える周期で送信される、Ｃ１１に記載の方法。
[Ｃ１７]  前記周期が、前記ＳＦＮを増分するための時間期間に対応する、Ｃ１６に記載の方法。
[Ｃ１８]  前記復号することが、
前記ＳＩＢの複数の送信を含む複数のリソースブロックを結合することと、
前記ＳＩＢを生成するために前記結合された複数のリソースブロックを復号することとを備える、Ｃ１７に記載の方法。
[Ｃ１９]  ワイヤレス通信のための装置であって、
基地局に関する複数のパラメータを備えるシステム情報ブロック（ＳＩＢ）を生成するための手段と、
無認可無線周波数スペクトル帯域上の制御チャネルを介して前記ＳＩＢを送信するための手段と、
前記ＳＩＢを含む前記制御チャネルの一部分を示す基準信号をトランスミットするための手段とを備える装置。
[Ｃ２０]  前記制御チャネルが、複数のリソースブロックを備え、前記基準信号が、前記ＳＩＢを含む前記複数のリソースブロックのサブセットを示す、Ｃ１９に記載の装置。
[Ｃ２１]  前記基準信号が、物理セル識別子（ＰＣＩ）を備え、前記複数のリソースブロックの前記サブセットが、前記ＰＣＩにマッピングされる、Ｃ２０に記載の装置。
[Ｃ２２]  前記複数のリソースブロックの前記サブセットが、前記基準信号のタイミングに基づいてあらかじめ決定される、Ｃ２０に記載の装置。
[Ｃ２３]  前記ＳＩＢが、前記基地局に関連付けられたクリアチャネルアセスメント（ＣＣＡ）免除送信（ＣＥＴ）サブフレームの間に前記無認可無線周波数スペクトル帯域を介して送信される、Ｃ１９に記載の装置。
[Ｃ２４]  日和見的システム情報ブロック送信に関連付けられた非ＣＣＡ免除送信（非ＣＥＴ）サブフレームの前にクリアチャネルアセスメント（ＣＣＡ）を行うための手段と、
前記ＣＣＡが成功すると、前記非ＣＥＴサブフレーム上で前記ＳＩＢを送信するための手段とをさらに備える、Ｃ１９に記載の装置。
[Ｃ２５]  前記複数のパラメータが、システムフレーム番号（ＳＦＮ）を備える、Ｃ１９に記載の装置。
[Ｃ２６]  ワイヤレス通信のための装置であって、
無認可無線周波数スペクトル帯域を介して基準信号を受信するための手段と、前記基準信号は、システム情報ブロック（ＳＩＢ）を含む制御チャネルの一部分を示し、前記ＳＩＢは、基地局に関する複数のパラメータを備える、
前記制御チャネルを受信するための手段と、
前記ＳＩＢを含む前記制御チャネルの前記示された部分に基づいて前記ＳＩＢを復号するための手段とを備える装置。
[Ｃ２７]  前記制御チャネルが、複数のリソースブロックを備え、前記基準信号が、前記ＳＩＢを含む前記複数のリソースブロックのサブセットを示す、Ｃ２６に記載の装置。
[Ｃ２８]  前記基準信号が、物理セル識別子（ＰＣＩ）を備え、前記複数のリソースブロックの前記サブセットが、前記ＰＣＩにマッピングされる、Ｃ２７に記載の装置。
[Ｃ２９]  前記基準信号が、リソースブロックの前記サブセットのロケーションを示す情報を備える、Ｃ２７に記載の装置。
[Ｃ３０]  前記複数のパラメータが、システムフレーム番号（ＳＦＮ）を備える、Ｃ２６に記載の装置。